(57)【要約】【課題】光源としてのLEDに故障部分が検出された場合であっても、コスト増大を招かず、ユーザに対して原稿サイズ情報を入力する余分な操作を要求することもなく、読取対象原稿について定型原稿サイズの検出を可能にする。【解決手段】白基準閾値に基づいて、スキャナ部２２の読取画像が白又は黒のいずれかを判定する白色判定部２１４と、白基準値に基づいてスキャナ部２２のＬＥＤの故障を各ブロック毎に検出する故障検出部２１１２と、ブロックのいずれかに故障が検出されたとき、白基準閾値を低減させる白基準閾値補正部２１５と、補正後の白基準閾値を用いた白色判定部２１４による上記判定結果に基づいて、主走査方向で読取画像が白から黒に変化する変化点を、読取対象原稿の原稿幅として算出する原稿幅算出部２１１０と、当該算出された原稿幅を有する定型原稿サイズを算出する原稿サイズ算出部２１１１とを備える。【選択図】図５
2010252216.tif 000002
【特許請求の範囲】
【請求項１】
読取対象となる原稿が載置される透明な原稿台と、
主走査方向に並ぶ複数のＬＥＤが当該主走査方向に並ぶ複数のブロック毎に駆動回路と接続されてなる光源と、当該光源により前記原稿台上に載置された原稿を照射して当該原稿の画像を読取る光電変換素子とを有する画像読取部と、
前記画像読取部による画像読取が可能な位置に配置された白色基準部材と、
前記画像読取部による前記白色基準部材の読み取り動作で取得された白基準値を記憶する白基準値記憶部と、
予め定められた白基準閾値に基づいて、前記画像読取部によって読み取られた画像が白又は黒のいずれを示すかを判定する白色判定部と、
前記画像読取部による前記白色基準部材の読み取り動作で取得された白基準値に基づいて、前記ＬＥＤに故障が発生しているか否かを前記各ブロック毎に検出する故障検出部と、
前記故障検出部によって前記ブロックのいずれかに故障が検出されたとき、前記白基準閾値を予め定められた値だけ低減させる補正を行う白基準閾値補正部と、
前記補正後の前記白基準閾値に基づいた前記白色判定部による前記画像読取部の読取画像についての前記判定結果に基づいて、前記主走査方向において当該読取画像が白から黒に変化する変化点を、当該読取対象とされている原稿の前記主走査方向における原稿幅として算出する原稿幅算出部と、
前記原稿幅算出部によって算出された原稿幅を有する定型原稿サイズを算出する原稿サイズ算出部と
を備える画像読取装置。
【請求項２】
前記画像読取部の光源は、前記各ブロック同士の境界部分付近に、異なる定型原稿サイズの当該主走査方向における原稿幅に対応する原稿サイズ切替ポイントとして配設されてなる請求項１に記載の画像読取装置。
【請求項３】
前記白基準閾値補正部は、前記故障検出部によって前記ブロックのいずれかに故障が検出されたときにおける前記白基準閾値の補正時に、前記白基準閾値を、前記画像読取部により取得された前記白基準値の50％となる値に補正する請求項１又は請求項２に記載の画像読取装置。
【請求項４】
請求項１乃至請求項３のいずれかに記載の画像読取装置と、
前記画像読取装置によって読み取られた原稿画像に基づいて画像形成を行う画像形成部と
を備える画像形成装置。
【発明の詳細な説明】
【技術分野】
【０００１】
本発明は、画像読取装置及び画像形成装置に関し、特に、読取対象とされる原稿のサイズを検出する技術に関する。
【背景技術】
【０００２】
従来、画像読取装置の光源としては、発熱が小さく、消費電力が小さいという利点を有するLED群を配したLEDアレイ光源が提案されている。このLEDアレイ光源は、複数個のLEDからなるブロック毎に駆動回路に接続される構成とすることで、電気系統に不具合が生じた場合、部分的に読み取れない箇所は発生するものの、ハロゲンランプやキセノン管とは違って、全てのLED群が消えるおそれが低減される。このため、下記特許文献１に示されるように、一部のLEDに故障部分を検出しても、その時点で読取対象とされている原稿の読取が当該故障部分以外の光照射で足りる場合には当該原稿の読取を実行する技術や、下記特許文献２に示されるように、光源としてのLEDに故障部分を検出しても、当該故障部分以外の領域に原稿を寄せて読取を可能にする技術が提案されている。
【先行技術文献】
【特許文献】
【０００３】
【特許文献１】特開２００４−６４４０６号公報
【特許文献２】特開２００７−２０１９５２号公報
【発明の概要】
【発明が解決しようとする課題】
【０００４】
上記各従来技術のように、光源であるLEDの故障検出時に原稿読取を実行するには、読取対象の原稿のサイズ情報が必要である。しかしながら、原稿サイズの判別手法としては、(1)原稿読取台において原稿サイズが切り替わる境界に設置された反射型センサで原稿サイズを検出する、(2)ユーザから操作部に入力された原稿サイズ情報を取得する、又は(3)ラインセンサで原稿を読んで原稿サイズを判別する、等の技術が提案されているが、これらは、原稿サイズ情報の取得のための特別な機構を必要とするためにコスト高を招く、或いは、ユーザに対して原稿サイズ情報を入力する余分な操作を要求することになる等の問題点がある。
【０００５】
本発明は、上記の問題を解決するためになされたもので、光源としてのLEDに故障部分が検出された場合であっても、コスト増大を招かず、ユーザに対して原稿サイズ情報を入力する余分な操作を要求することもなく、読取対象とされている原稿についての定型原稿サイズの検出を可能にすることを目的とする。
【課題を解決するための手段】
【０００６】
本発明の請求項１に記載の発明は、読取対象となる原稿が載置される透明な原稿台と、
主走査方向に並ぶ複数のＬＥＤが当該主走査方向に並ぶ複数のブロック毎に駆動回路と接続されてなる光源と、当該光源により前記原稿台上に載置された原稿を照射して当該原稿の画像を読取る光電変換素子とを有する画像読取部と、
前記画像読取部による画像読取が可能な位置に配置された白色基準部材と、
前記画像読取部による前記白色基準部材の読み取り動作で取得された白基準値を記憶する白基準値記憶部と、
予め定められた白基準閾値に基づいて、前記画像読取部によって読み取られた画像が白又は黒のいずれを示すかを判定する白色判定部と、
前記画像読取部による前記白色基準部材の読み取り動作で取得された白基準値に基づいて、前記ＬＥＤに故障が発生しているか否かを前記各ブロック毎に検出する故障検出部と、
前記故障検出部によって前記ブロックのいずれかに故障が検出されたとき、前記白基準閾値を予め定められた値だけ低減させる補正を行う白基準閾値補正部と、
前記補正後の前記白基準閾値に基づいた前記白色判定部による前記画像読取部の読取画像についての前記判定結果に基づいて、前記主走査方向において当該読取画像が白から黒に変化する変化点を、当該読取対象とされている原稿の前記主走査方向における原稿幅として算出する原稿幅算出部と、
前記原稿幅算出部によって算出された原稿幅を有する定型原稿サイズを算出する原稿サイズ算出部と
を備える画像読取装置である。
【０００７】
この発明では、白基準閾値補正部は、故障検出部によって上記ブロックのいずれかに故障が検出されたとき、白基準閾値を予め定められた値だけ低減させる補正を行い、原稿幅算出部は、当該補正後の白基準閾値に基づいた白色判定部による画像読取部の読取画像についての判定結果に基づいて、主走査方向において当該読取画像が白から黒に変化する変化点を、当該読取対象とされている原稿の主走査方向における原稿幅として算出する。これにより、本発明は、上記ブロックが故障して当該ブロックの照射領域での光量が少なくなり、当該光量が低減した照射領域において読み取られた画像についても上記変化点を正確に検出できるため、画像読取部により読み取られた画像に基づいた原稿幅算出の正確性を高めることができる。従って、本発明によれば、光源としてのLEDに故障部分が検出された場合であっても、コスト増大を招かず、ユーザに対して原稿サイズ情報を入力する余分な操作も要求することなく、読取対象の原稿について定型原稿サイズの検出が可能になる。
【０００８】
また、請求項２に記載の発明は、請求項１に記載の画像読取装置であって、前記画像読取部の光源は、前記各ブロック同士の境界部分付近に、異なる定型原稿サイズの当該主走査方向における原稿幅に対応する原稿サイズ切替ポイントとして配設されてなるものである。
【０００９】
この発明では、各ブロック同士の境界部分付近が原稿サイズ切替ポイントとなるように配設されているので、主走査方向において読取対象原稿の用紙幅端部近傍の上記ブロックが故障して当該ブロックの照射領域での光量が少ない場合であっても、当該故障したブロックに隣接するブロックのＬＥＤ照射により、当該故障しているブロックの照射領域での光量が補われやすい。このため、本発明によれば、光量が低減した照射領域で読み取られた画像の明るさを確保しやすくなり、画像読取部により読み取られた画像に基づいた原稿幅算出の正確性が高められる。
【００１０】
また、請求項３に記載の発明は、請求項１又は請求項２に記載の画像読取装置であって、前記白基準閾値補正部は、前記故障検出部によって前記ブロックのいずれかに故障が検出されたときにおける前記白基準閾値の補正時に、前記白基準閾値を、前記画像読取部により取得された前記白基準値の50％となる値に補正するものである。
【００１１】
この発明によれば、白基準閾値補正部は、故障検出部によって上記ブロックのいずれかに故障が検出されると、白基準閾値を、画像読取部により取得された白基準値の50％となる値に補正するので、故障したブロックの照射領域での光量に応じて、的確に白色判定部による上記判定を行うことが可能になる。
【００１２】
また、請求項４に記載の発明は、請求項１乃至請求項３のいずれかに記載の画像読取装置と、
前記画像読取装置によって読み取られた原稿画像に基づいて画像形成を行う画像形成部と
を備える画像形成装置である。
【００１３】
この発明によれば、請求項１乃至請求項３のいずれかに記載の発明によって得られる作用を奏することができる。
【発明の効果】
【００１４】
本発明によれば、光源としてのLEDに故障部分が検出された場合であっても、コスト増大を招くことなく、ユーザに対して原稿サイズ情報を入力する余分な操作を要求することもなく、読取対象とされている原稿についての定型原稿サイズの検出を可能にすることができる。
【図面の簡単な説明】
【００１５】
【図１】本実施の形態における複合機の内部構成を模式的に示した縦断面図である。
【図２】スキャナ部のＬＥＤアレイ光源の概略構成を示す図である。
【図３】ＬＥＤアレイ光源の各ブロックと定型原稿サイズとの関係を示す図である。
【図４】複合機の画像読取装置を示した概略側面図である。
【図５】画像読取装置の画像読取回路の概略構成を示すブロック図である。
【図６】白色判定部、白基準閾値補正部、原稿サイズ算出部及び故障検出部と、シェーディング補正部の内部構成を示すブロック図である。
【図７】白基準値のサンプルデータの例を示す図である。
【図８】スキャナ部により原稿サイズ検出時に行われる画像読取での画素値のサンプルデータの例を示す図である。
【図９】複合機のスキャナ部による画像読取動作時の処理を示すフローチャートである。
【図１０】光源の故障時における白基準値と白基準閾値との関係を示す図である。
【図１１】はコンタクトガラス上に載置された原稿と光源の各ブロックとの位置関係を示す図である。
【発明を実施するための形態】
【００１６】
以下、本発明の一実施形態に係る画像読取装置及び画像形成装置について図面を参照して説明する。尚、以下の実施形態では、本発明における画像読取装置及び画像形成装置を、カラーコピー、スキャナ、ファクシミリ、プリンタ等の機能を備えた複合機に集約した形態を例に説明する。
【００１７】
図１は本実施の形態における複合機１の内部構成を模式的に示した縦断面図である。図２はスキャナ部のＬＥＤアレイ光源の概略構成を示す図である。図３はＬＥＤアレイ光源の各ブロックと定型原稿サイズとの関係を示す図である。
【００１８】
複合機１は大きく分けると画像読取装置２と装置本体３とからなる。画像読取装置２は、原稿給紙部（原稿搬送部）２１とスキャナ部２２を備えて構成される。原稿給紙部２１はＡＤＦを実現するものであり、原稿トレイ２４１、給紙ローラ２３２、搬送ドラム２３３、排紙ローラ２３４及び排紙トレイ２３５を有する。原稿トレイ２４１は原稿が載置される場所であり、原稿トレイ２４１に載置された原稿は１枚ずつ給紙ローラ２３２によって取り込まれて搬送ドラム２３３へ搬送される。搬送ドラム２３３を経由した原稿は排紙ローラ２３４によって排紙トレイ２３５へ排出される。
【００１９】
スキャナ部（画像読取部の一例）２２は、原稿の画像を光学的に読み取って画像データを生成するものである。スキャナ部２２は、装置本体３に設けられている。スキャナ部２２は、コンタクトガラス２２１、光源２２２、第１ミラー２２３、第２ミラー２２４、第３ミラー２２５、第１キャリッジ２２６、第２キャリッジ２２７、結像レンズ２２８、ＣＣＤ（Charge Coupled Device）２２９を備える。このスキャナ部２２は、光源２２２としてLEDアレイ光源が用いられ、上記第１ミラー２２３、第２ミラー２２４、第３ミラー２２５、第１キャリッジ２２６、第２キャリッジ２２７及び結像レンズ２２８により、原稿からの光をＣＣＤ２２９に導くものである。
【００２０】
スキャナ部２２は、図２に示すように、光源２２２として、主走査方向に並ぶ複数のＬＥＤ２２０が、当該主走査方向に並ぶ複数のブロックＡ〜Ｅのそれぞれのブロック毎に、DC-DCコンバータ２２２１及び低電流駆動回路２２２２等の駆動回路と接続されたLEDアレイ光源を備えている。なお、低電流駆動回路２２２２は、後述する制御部２１１５に接続されている。本実施形態では、光源２２２は、各ＬＥＤの主走査方向における大きさが5mmであるものを備える例を示す。この場合、ブロックＡが11個、ブロックＢが9個、ブロックＣが12個、ブロックＤが17個、ブロックＥが8個のＬＥＤを備える。
【００２１】
本実施形態では、図３に示すように、各ブロックＡ〜Ｅのそれぞれのブロックは、原稿読取領域における主走査方向において、各ブロック同士の境界部分が、異なる定型原稿サイズの当該主走査方向における原稿幅に対応する原稿サイズ切替ポイントとなるように配設されている。例えば、ブロックＡが上記主走査方向における幅10.5cm、ブロックＢが上記主走査方向における幅4.5cm、ブロックＣが上記主走査方向における幅6cm、ブロックＤが上記主走査方向における幅8.5cm、ブロックＥが上記主走査方向における幅4cm、として当該主走査方向に並設される。このように各ブロックＡ〜Ｅの主走査方向幅を設定することで、ブロックＡとブロックＢの境界部分に、A6サイズ105mm(105mm×148mm) の原稿幅に対応する原稿サイズ切替ポイントが位置し、ブロックＢとブロックＣの境界部分近傍に、A5サイズ148mm(148mm×210mm) の原稿幅に対応する原稿サイズ切替ポイントが位置し、ブロックＣとブロックＤの境界部分に、A4サイズ210mm(210mm×297mm) の原稿幅に対応する原稿サイズ切替ポイントが位置し、ブロックＤとブロックＥの境界部分近傍に、A3サイズ297mm(297mm×420mm)の原稿幅に対応する原稿サイズ切替ポイントが位置する構成となる。なお、本実施形態では、光源２２２に備えられるＬＥＤの主走査方向における大きさが5mmであるものとして、当該配置としたが、当該ＬＥＤの大きさが本実施形態のものとは異なり、各ブロック同士の境界部分に上記原稿サイズ切替ポイントを配置できる場合は、各ブロック同士の境界部分に上記原稿サイズ切替ポイントを配置してもよい。
【００２２】
ＣＩＳ２３１は、スキャナ部２２よりも原稿搬送方向下流側に設けられている。ＣＩＳ２３１は、原稿搬送路において、スキャナ部２２によって読み取られる原稿面とは反対側の面を読取可能な位置に設けられている。
【００２３】
コンタクトガラス（特許請求の範囲の原稿台の一例）２２１は原稿を載置する場所である。原稿給紙部２１は、装置本体３の上面縁部（図１では図面奥側）に、コンタクトガラス２２１に対する接離方向に回動可能に取り付けられている。後述するフラットベッド読取モードの場合、ユーザは、原稿給紙部２１をコンタクトガラス２２１から離れる方向に回動させ、コンタクトガラス２２１を露出させる。
【００２４】
スキャナ部２２の光源２２２及び第１ミラー２２３は、第１キャリッジ２２６によって支持され、第２ミラー２２４及び第３ミラー２２５は、第２キャリッジ２２７によって支持されている。
【００２５】
画像読取装置２の原稿読取方法としては、コンタクトガラス２２１上に載置された原稿をスキャナ部２２が読み取るフラットベッド読取モードと、原稿をＡＤＦによって取り込み、その搬送途中で原稿を読み取るＡＤＦ読取モードがある。
【００２６】
フラットベッド読取モードでは、光源２２２がコンタクトガラス２２１上に載置された原稿を照射し、主走査方向１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。ＣＣＤ２２９は一次元のイメージセンサであり、１ライン分の原稿の画像を同時に処理する。１ライン分の読み取りが終了すると、主走査方向と直交する方向（副走査方向、矢印Ｙ方向）に第１キャリッジ２２６及び第２キャリッジ２２７が移動され、次のラインの読み取りが行われる。
【００２７】
ＡＤＦ読取モードでは、原稿トレイ２４１に載置された原稿が給紙ローラ２３２によって１枚ずつ取り込まれ、搬送ドラム２３３から排紙トレイ２３５への搬送経路に設けられた画像読取位置２３０上を原稿が通過するとき、光源２２２が原稿を照射し、主走査１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。続いて原稿は原稿給紙部２１によって搬送され、次のラインが読み取られる。尚、以下の説明において、特に記載のないものについては、フラットベッド読取モードによって原稿を自動給紙し、画像の読み取りを行うことを前提に説明を行う。
【００２８】
更に、原稿給紙部２１は切換ガイド２３６、反転ローラ２３７及び反転搬送路２３８からなる原稿反転機構を有する。１回目のＡＤＦ読み取りによって表面（原稿の一方の面）が読み取られた原稿を、原稿反転機構を用いて反転させて再搬送することによって、再度ＣＣＤ２２９によって裏面（原稿の他方の面）の読み取りを行わせることができる。この原稿反転機構は、両面読み取り時にのみ動作し、片面読み取り時は動作しない。片面読み取り時及び両面読み取り時において裏面の読み取り後、切換ガイド２３６は上側に切り替えられ、搬送ドラム２３３を経た原稿は排紙ローラ２３４によって排紙トレイ２３５に排紙される。両面読み取り時における表面読み取り後、切換ガイド２３６は下側に切り替えられ、搬送ドラム２３３を経た原稿は反転ローラ２３７のニップ部へ搬送される。その後、切換ガイド２３６は上側へ切り替わって反転ローラ２３７が逆回転することにより、原稿は反転搬送路２３８を介して搬送ドラム２３３へ再搬送される。
【００２９】
更に、本実施の形態の画像読取装置２は、ＡＤＦ読取モード時において、上記で説明したように原稿の搬送途中でＣＣＤ２２９によって原稿の表面の読み取りを行わせると同時に、ＣＩＳ２３１によって原稿の裏面の読み取りを行わせることが可能である。つまり、原稿トレイ２４１から給紙された原稿は画像読取位置２３０上を通過するときにＣＣＤ２２９によって表面が読み取られ、更にＣＩＳ２３１を通過する際に裏面が読み取られる。このようにＣＣＤ２２９とＣＩＳ２３１を用いることで、ワンパスで原稿の両面の読み取りが可能となる。
【００３０】
複合機１は、装置本体３と、装置本体３の左方に配設されたスタックトレイ６とを有している。装置本体３は、複数の給紙カセット４６１と、給紙カセット４６１から用紙（記録媒体）を１枚ずつ繰り出して記録部（画像形成部）４０へ搬送する給紙ローラ４６２と、給紙カセット４６１から搬送されてきた用紙に画像を形成する記録部４０とを備える。更に手差しトレイ４７１を備え、この手差しトレイ４７１からは何れの給紙カセットにも収納されていないサイズの用紙や、既に一方の面に画像形成がなされている用紙（裏紙）、ＯＨＰシートのような任意の記録媒体が載置可能であり、給紙ローラ４７２によって１枚ずつ装置本体３内に給紙される。
【００３１】
記録部４０は、感光体ドラム４３の表面から残留電荷を除電する除電装置４２１と、除電後の感光体ドラム４３の表面を帯電させる帯電装置４２２と、スキャナ部２２で取得された画像データに基づいてレーザ光を出力して感光体ドラム４３表面を露光し、感光体ドラム４３の表面に静電潜像を形成する露光装置４２３と、上記静電潜像に基づいて感光体ドラム４３上に、シアン（Ｃ）、マゼンタ（Ｍ）、イエロー（Ｙ）及びブラック（Ｋ）の各色のトナー像を形成する現像装置４４Ｃ、４４Ｍ、４４Ｙ、４４Ｋと、感光体ドラム４３に形成された各色のトナー画像が転写されて重ね合わせされる転写ドラム４９と、転写ドラム４９上のトナー像を用紙に転写させる転写装置４１と、トナー像が転写された用紙を加熱してトナー像を用紙に定着させる定着装置４５とを備えている。なお、シアン、マゼンタ、イエロー及びブラックの各色に対するトナーの供給は、不図示のトナー供給容器（トナーカートリッジ）から行われる。また、記録部４０を通過した用紙をスタックトレイ６又は排出トレイ４８まで搬送する搬送ローラ４６３及び４６４等が設けられている。
【００３２】
用紙の両面に画像を形成する場合は、記録部４０によって用紙の一方の面に画像の形成が施された後、この用紙を排出トレイ４８側の搬送ローラ４６３にニップされた状態にする。この状態で搬送ローラ４６３を逆回転させて用紙をスイッチバックさせ、用紙を用紙搬送路Ｌに送って記録部４０の上流域に再度搬送し、記録部４０によって他方の面に画像の形成が施された後、用紙をスタックトレイ６又は排出トレイ４８に排出する。
【００３３】
また、装置本体３の前方には、ユーザが操作画面や各種メッセージ等を視認することができる表示部５１や、種々の操作命令を入力するための操作ボタンを有する操作部５が備えられている。この操作部５は、タッチパネルを備える表示部５１、数字キー群５３、スタートボタン５５等を備える。表示部５１は、ＬＣＤ（Liquid Crystal Display）やＥＬＤ（Electronic Luminescent Display）等によって構成され、紙サイズ選択、倍率選択、濃度選択等の選択画面が表示される。
【００３４】
次に、スキャナ部２２及びＣＩＳ２３１によるシェーディング補正用の黒基準値及び白基準値の取得動作を説明する。図４は、複合機１の画像読取装置２を示した概略側面図である。
【００３５】
本実施形態の画像読取装置２には、画像読取位置２３０から外れた位置であって、スキャナ部２２による画像読取が可能な位置に、白色基準板（白色基準部材）１０が設けられている。白色基準板１０は、主走査方向（図４において紙面に直交する方向）に延びるように、コンタクトガラス２２１に取り付けられた白色の帯板状部材である。スキャナ部２２がシェーディング補正用の白基準値を取得する場合、上記副走査方向において白色基準板１０の位置まで第１キャリッジ２２６及び第２キャリッジ２２７が移動し、光源２２２により白色基準板１０の白色面を照射した状態で、当該白色面を読み取る。また、スキャナ部２２がシェーディング補正用の黒基準値を取得する場合、同様に白色基準板１０の位置まで第１キャリッジ２２６及び第２キャリッジ２２７が移動し、光源２２２を消灯して白色基準板１０の白色面を非照射とした状態で当該白色面を読み取る。
【００３６】
次に、複合機１における画像読取装置２についての画像読取回路を説明する。図５は、画像読取装置２の画像読取回路の概略構成を示すブロック図である。画像読取装置２の画像読取回路２１０は、ＣＰＵ２１１と、ＲＡＭ２１２と、ＲＯＭ２１３と、白色判定部２１４と、白基準閾値補正部２１５と、A/D変換部２１７と、シェーディング補正部２１８と、画像処理部２１９とを備える。これら各部は、バスBUSによって互いに通信可能に接続されている。
【００３７】
ＣＰＵ２１１は、複合機１の全体的な動作制御を司るための制御回路である。ＣＰＵ２１１は、ＲＯＭ２１２又は図略のＨＤＤに記憶されている複合機１及び画像読取装置２の動作制御プログラムに従った動作により、原稿幅算出部２１１０、原稿サイズ算出部２１１１、故障検出部２１１２、判断部２１１３、表示制御部２１１４、及び制御部２１１５として機能する。
【００３８】
原稿幅算出部２１１０は、スキャナ部２２によって読み取られた原稿の画像についての白色判定部２１４による判定結果に基づいて、主走査方向において当該読取画像の画素値が白から黒に変化する変化点を、当該原稿の上記主走査方向における原稿幅として算出する。
【００３９】
原稿サイズ算出部２１１１は、原稿幅算出部２１１０によって算出された原稿幅を有する定型原稿サイズを算出する。
【００４０】
故障検出部２１１２は、光源２２２をなす上記ＬＥＤに故障が発生しているか否かを、スキャナ部２２による読取画像に基づいて、上記各ブロック毎に検出する。故障検出部２１１２による故障検出処理の詳細は後述する。
【００４１】
表示制御部２１１４は、表示部５１の表示制御を司る。表示制御部２１１４は、例えば、故障検出部２１１２によって光源２２２のブロックのいずれかに故障が検出された場合に、スキャナ部２２による原稿画像の読取を実行させるか否かの指示の入力を促す旨のメッセージを表示部５１に表示させる。
【００４２】
制御部２１１５は、複合機１の全体的な動作制御を司り、画像読取装置２の動作制御も担当する。例えば、制御部２１１５は、シェーディング補正用の白基準値及び白基準値を取得する画像読取動作を行うために必要なスキャナ部２２及びＣＩＳ２３１等の駆動機構の動作や、操作部５にスキャナ部２２に原稿読取を行わせる旨の指示の入力が受け付けられたことをもって、当該原稿サイズが検出された原稿についての画像読取動作等を制御する。
【００４３】
ＲＡＭ２１２は、ＣＰＵ２１１による上記動作制御プログラムに従った複合機１及び画像読取装置２の動作制御時の作業領域として用いられる記憶機構である。
【００４４】
ＲＯＭ２１３は、上記動作制御プログラム等を記憶する。
【００４５】
操作部５は、操作者から、コピー動作開始指示等の各種操作指示を受け付けるものである。
【００４６】
白色判定部２１４は、内蔵するメモリに記憶されている予め定められた白基準閾値（例えば、白黒二値データの場合における画素値（輝度）128）を用いて、当該白基準閾値以上の値の画素は白と判定し、当該白基準閾値よりも小さい値の画素は黒と判定することで、スキャナ部２２によって読み取られた原稿の画像が示す画像が白又は黒のいずれであるかを判定する。白色判定部２１４は、白基準閾値補正部２１５による白基準閾値の補正が行われた場合には、当該補正後の白基準閾値を用いて、当該原稿の画像が示す画像が白又は黒のいずれであるかの判定を行う。
【００４７】
白基準閾値補正部２１５は、故障検出部２１１２によってブロックＡ〜Ｅのいずれかに故障が検出されたとき、白色判定部２１４に記憶されている上記白基準閾値を予め定められた値（例えば、白基準メモリ２１８２に記憶されている白基準値の50％に該当する画素値）だけ低減させる補正を行う。
【００４８】
A/D変換部２１７は、スキャナ部２２のＣＣＤ２２９、及びＣＩＳ２３１から送出されてくるアナログの電気信号からなる読取画像データを、ディジタルの読取画像データに変換する。また、A/D変換部２１７は、当該ディジタル変換後の読取画像データをシェーディング補正部２１８に出力する。
【００４９】
シェーディング補正部２１８は、スキャナ部２２による白色基準板１０の読み取り動作、及びＣＩＳ２３１によるシェーディングローラ１１の読み取り動作で取得された上記白基準値及び黒基準値を用いて、スキャナ部２２及びＣＩＳ２３１のそれぞれに読み取られた各原稿画像に対してシェーディング補正を行う。シェーディング補正部２１８は、画像処理部２１９に、シェーディング補正済みの原稿画像のデータを送出する。
【００５０】
画像処理部２１９は、シェーディング補正部２１８から送出されてくるシェーディング補正済の画像データに関する各種画像処理を行うものである。例えば、画像処理部２１９は、当該画像データに対して、レベル補正、ガンマ補正等の補正処理、画像データの圧縮又は伸長処理、拡大又は縮小処理などの画像加工処理を行う。
【００５１】
次に、原稿サイズ算出部２１１１及びシェーディング補正部２１８の内部構成等を説明する。図６は、白色判定部２１４、白基準閾値補正部２１５、原稿サイズ算出部２１１１及び故障検出部２１１２と、シェーディング補正部２１８の内部構成を示すブロック図である。図７は白基準値のサンプルデータの例を示す図である。図８はスキャナ部により原稿サイズ検出時に行われる画像読取での画素値のサンプルデータの例を示す図である。
【００５２】
シェーディング補正部２１８は、黒基準メモリ２１８１と、白基準メモリ２１８２と、シェーディング補正回路２１８５とを備える。
【００５３】
黒基準メモリ２１８１は、スキャナ部２２及びＣＩＳ２３１によって取得されたシェーディング補正用の黒基準値B(n)を記憶する。
【００５４】
白基準メモリ（白基準値記憶部）２１８２は、スキャナ部２２及びＣＩＳ２３１によって取得されたシェーディング補正用の白基準値W(n)を記憶する。
【００５５】
シェーディング補正回路２１８５は、スキャナ部２２による白色基準板１０の読み取り動作、又はＣＩＳ２３１によるシェーディングローラ１１の読み取り動作によって取得された黒基準値及び白基準値を用いて、スキャナ部２２又はＣＩＳ２３１に読み取られた原稿画像に対してシェーディング補正を行う。シェーディング補正回路２１８５は、例えば、256階調の場合、下記式(1)を用いて画像処理を行い、画像データを校正する。なお、入力実データとは、スキャナ部２２又はＣＩＳ２３１によって読み取られた実際の原稿画像のデータであり、入力画像データ値(I_out)とは、シェーディング補正後の原稿画像のデータである。入力実データ(I_in)とは、スキャナ部２２又はＣＩＳ２３１によって読み取られた原稿画像のデータである。
【００５６】
入力画像データ値(I_out)= 256×（入力実データ(I_in)−黒基準値B(n)）÷（白基準値W(n)−黒基準値B(n)）  …式(1)
故障検出部２１１２は、例えば、シェーディング補正部２１８による読取画像のシェーディング補正時に、スキャナ部２２に備えられる光源２２２としてのLEDアレイ光源に備えられるＬＥＤ群の異常検出及び異常位置検出を行う。シェーディング補正時に、スキャナ部２２によってシェーディング補正用の白基準値W(n)が取得されたとき、光源２２２を構成する上記ブロックＡ〜Ｅのいずれかのブロックが異常であれば、白基準値W(n)は、図７のようなサンプルデータの分布を示す。すなわち、ブロックＡ〜Ｅのブロックの内、故障しているブロックによる照射領域は、ＬＥＤ非点灯による光量不足のため当該領域の輝度データが落ち込む（図７には、ブロックＣが故障して、当該ブロックＣのＬＥＤ群による照射が行われていない場合を示す）。故障検出部２１１２は、当該サンプルデータを、スキャナ部２２から取得して予め定められた値（閾値Ａ）と比較し、サンプルデータが閾値Ａよりも小さい領域のブロックを、異常（ＬＥＤ群が非点灯状態、劣化又は故障）が生じているブロックと検出する。ここで、当該予め定められた閾値Ａとしては、出力画像に黒スジあるいは、白スジとして出力されることがないぐらいに十分な輝度を保証する値（例えば、輝度200）である。故障検出部２１１２は、検出したブロック名を、内蔵するメモリに記憶しておく。
【００５７】
原稿幅算出部２１１０は、フラットベッドモード読取時、原稿給紙部２１が閉じられる直前に、制御部２１１５による制御の下、スキャナ部２２によりコンタクトガラス２２１上に載置されている読取対象の原稿が、原稿サイズ検出のために予め定められた1又は複数のライン数分読み取られたとき、スキャナ部２２によって読み取られた原稿の画像についての白色判定部２１４による判定結果に基づいて、主走査方向において当該読取画像の画素値が白から黒に変化する図８に示すような変化点を検出し、主走査方向に最初に並ぶ第１番目の画素位置から当該変化点の画素位置までの距離を、当該原稿の主走査方向における原稿幅として算出する。
【００５８】
原稿サイズ算出部２１１１は、原稿幅情報記憶部２１４１と、原稿サイズ検出部２１４３とを備える。
【００５９】
原稿幅情報記憶部２１４１は、A判サイズ,B判サイズ等の縦横別の定型原稿サイズ（規定原稿サイズ）のそれぞれに対応する上記主走査方向における原稿幅情報を記憶する。本実施形態では、A判縦の定型原稿サイズを検出するため、A判縦の定型原稿サイズに対応する上記主走査方向における原稿幅情報を記憶していれば足りる。
【００６０】
原稿サイズ検出部２１４３は、原稿幅算出部２１１０によって算出された上記主走査方向における原稿幅を有する原稿サイズを原稿幅情報記憶部２１４１から読み出し、当該読み出した原稿サイズを、当該読取対象とされている原稿の原稿サイズとして検出する。
【００６１】
次に、複合機１のスキャナ部２２による画像読取動作について説明する。図９は、複合機１のスキャナ部２２による画像読取動作時の処理を示すフローチャートである。図１０は光源２２２の故障時における白基準値と白基準閾値との関係を示す図である。図１１はコンタクトガラス上に載置された原稿と光源の各ブロックとの位置関係を示す図である。
【００６２】
ユーザからの指示に基づいて複合機１でコピー動作が開始され、シェーディング補正が行われる時、スキャナ部２２により上記白基準値W(n)及び黒基準値B(n)のシェーディングデータが取得されると（Ｓ１）、故障検出部２１１２が、上記主走査方向に並ぶ各画素についての当該白基準値W(n)が全て上記閾値Ａ以上であるかを判断する（Ｓ２）。すなわち、故障検出部２１１２は、光源２２２をなすＬＥＤ群の各ブロックＡ〜Ｅに非点灯等の故障が生じていないかを当該白基準値W(n)に基づいて検出する。
【００６３】
ここで、故障検出部２１１２が、主走査方向に並ぶ各画素の白基準値W(n)が全て閾値Ａ以上であると判断した場合は（Ｓ２でＹＥＳ）、制御部２１１５により通常のコピー動作が実行される（Ｓ１５）。すなわち、故障検出部２１１２により、光源２２２をなすＬＥＤ群の各ブロックに故障が生じていないと判断されたため、通常のコピー動作が行われる。
【００６４】
一方、故障検出部２１１２が、上記主走査方向に並ぶ各画素の白基準値W(n)のうち、閾値Ａに満たない値の画素値を示す領域が存在すると判断した場合は（Ｓ２でＮＯ）、表示制御部２１１４は、表示部５１に、コピー動作を続行するか否かの指示の入力をユーザに対して促す旨のメッセージを表示させる（Ｓ３）。なお、本実施形態では、図２に示したように、光源２２２の各ＬＥＤ群は、複数のブロック毎に駆動回路と接続されているため、１つのＬＥＤに非点灯状態等の不具合が生じた場合は、当該不具合を生じているＬＥＤを含むブロックに属する全てのＬＥＤが非点灯になり、当該不具合を生じているＬＥＤを含まないブロックに属するＬＥＤは点灯状態が維持される。このため、白基準値W(n)は、図７に示すように、故障しているブロックによる照射領域に対応する部分の画素値が、ＬＥＤ非点灯による光量不足によって輝度データが落ち込む。
【００６５】
上記メッセージの表示後、ユーザによるスタートボタン５５の操作等により、ユーザからコピー動作を続行しない旨の指示が入力されると（Ｓ４でＮＯ）、スキャナ部２２による以降の原稿画像読取動作及び記録部４０による画像形成動作は行われない。表示制御部２１１４は、表示部５１に、メンテナンス作業への修理依頼をユーザに促すサービンマンコールを示す旨のメッセージを表示させる（Ｓ１４）。
【００６６】
また、上記メッセージの表示後、ユーザによるスタートボタン５５の操作等により、ユーザからコピー動作続行指示が入力された場合は（Ｓ４でＹＥＳ）、表示制御部２１１４は、ユーザに対して定型サイズの原稿の載置を促す旨のメッセージを表示部５１に表示させる（Ｓ５）。ここで、定型サイズの原稿の載置を促すのは、光源２２２のブロックＡ〜Ｅのいずれかが故障しているため、フリーサイズの原稿がコンタクトガラス２２１上に載置され、載置された原稿の端部が、故障しているブロックによる照射領域内に位置してしまうと、当該載置された原稿の幅を算出できず、原稿サイズが算出できないためである。
【００６７】
上記Ｓ３でのメッセージ表示後、白基準閾値補正部２１５は、白色判定部２１４が用いる白基準閾値を、当該白基準値W(n)の50％に該当する値に低減する補正を行う（Ｓ６）。例えば、光源２２２のブロックＣが故障しており、ブロックＣによる照射領域に対応する部分の白基準値が他のブロックによる照射領域よりも低下しているような場合、図１０に示すように、白基準閾値補正部２１５は、上記白基準閾値を白基準値W(n)の50％に該当する値に低減する。これにより、白色判定部２１４による白画像又は黒画像の判定時に、故障と判定されているブロックＣの照射領域部分の画像であって、低下した画素値を示す読取画像であっても、当該故障による光量低下を考慮した白基準閾値を用いて、当該読取画像が、白画像（原稿画像換言すれば、原稿が存在していることを示す画像）、又は黒画像（すなわち、原稿が存在していないことを示す画像）のいずれであるかを判定できる。
【００６８】
そして、制御部２１１５は、スキャナ部２２に、原稿サイズ検出用のデータを取得するために、載置された原稿の画像の読取動作を行わせる（Ｓ７）。制御部２１１５は、光源２２２を点灯させた状態としてスキャナ部２２に当該原稿を読み取らせる。なお、このとき、上述したように、制御部２１１５がスキャナ部２２に1走査ラインのみの画像読取を行わせ、当該1走査ライン分の読取画像をなす画素の画素値を上記原稿サイズ検出用データとしてもよいし、制御部２１１５がスキャナ部２２に複数走査ライン分の画像読取を行わせ、当該複数走査ライン分の読取画像をなす画素の画素値の平均値を上記原稿サイズ検出用データとしてもよい。
【００６９】
この後、原稿幅算出部２１１０は、スキャナ部２２によりコンタクトガラス２２１上に載置されている読取対象の原稿が、原稿サイズ検出のために予め定められた1又は複数のライン数分読み取られたとき、スキャナ部２２によって読み取られた原稿の画像についての白色判定部２１４による判定結果に基づいて、主走査方向において当該読取画像の画素値が白から黒に変化する変化点を検出し、主走査方向に最初に並ぶ第１番目の画素位置から当該変化点の画素位置までの距離を、当該原稿の主走査方向における原稿幅として算出する（Ｓ８）。
【００７０】
続いて、原稿サイズ検出部２１４３は、原稿幅算出部２１１０によって算出された原稿幅を有する原稿サイズを原稿幅情報記憶部２１４１から読み出し、当該読み出した原稿サイズを、当該読取対象とされている原稿の原稿サイズとして検出する（Ｓ９）。本実施形態では、原稿幅情報記憶部２１４１にはＡ判縦サイズの定型原稿サイズ情報が記憶されているものとし、複合機１によって、Ａ判縦の定型原稿サイズの検出を行うものとする。
【００７１】
例えば、図１１に示すように、光源２２２のブロックＡ〜ＥのブロックＣに故障が発生している場合、上記変化点は、故障が検出されたブロックＣと、当該ブロックＣに隣接しているブロックＤの境界に位置する画素の画素値として現れる。ここで、当該変化点は、ブロックＣとブロックＤの境界部分に配置されているため、当該変化点は、故障していない隣のブロックＤによる照射の影響を受ける。これにより、当該故障しているブロックＣの照射領域での光量が補われ、光量が低減したブロックの照射領域で読み取られた画像の明るさが確保されやすくなり、スキャナ部２２に読み取られた画像に基づいた原稿幅算出の正確性が高まる。
【００７２】
続いて、表示制御部２１１４は、表示部５１に、上記検出された原稿サイズと、コピー動作を続行するか否かの指示の入力をユーザに促す旨のメッセージとを表示させる（Ｓ１０）。
【００７３】
当該メッセージの表示後、ユーザによる操作部５の操作により、コピー動作実行指示が再度入力されると（Ｓ１１でＹＥＳ）、制御部２１１５は、給紙カセット４６１及び手差しトレイ４７１等からなる給紙機構により給紙される原稿のサイズを、上記検出された原稿サイズに設定する（Ｓ１２）。制御部２１１５は、スキャナ部２２による画像読取動作及び記録部４０による画像形成動作を行わせる（Ｓ１３）。このとき、通常のコピー動作と同様に、白基準メモリ２１８２に記憶されている白基準値、及び黒基準メモリ２１８１に記憶されている黒基準値を用いて、シェーディング補正回路２１８５によるシェーディング補正が、Ｓ１３で読み取られた画像に対して行われるため、画像形成後の記録紙には、シェーディング補正により画質が向上された画像が形成される。
【００７４】
また、上記Ｓ１２におけるメッセージの表示後に、ユーザからコピー動作実行指示が入力されない場合は（Ｓ１１でＮＯ）、スキャナ部２２による以降の原稿画像読取動作及び記録部４０による画像形成動作は行われず、表示制御部２１１４は、表示部５１に、上記サービンマンコールを示す旨のメッセージを表示させる（Ｓ１４）。
【００７５】
なお、本発明は上記実施の形態の構成に限られず種々の変形が可能である。例えば、上記実施形態では、Ａ判縦サイズの検出を例にして説明したが、光源２２２のブロックの数を増やし、各ブロック幅を短くすると共に、Ａ判縦の各サイズに対応する主走査方向における原稿幅情報と、Ｂ判縦の各サイズに対応する主走査方向における原稿幅情報と、さらに、他のサイズの主走査方向における各原稿幅情報とからなる全ての原稿幅情報について、原稿幅情報記憶部２１４１に、A判縦サイズ,B判縦サイズ,他のサイズの定型原稿サイズのそれぞれに対応する上記主走査方向における原稿幅情報を記憶させておき、各ブロック同士の境界付近に原稿サイズ切替ポイントを配置することで、Ａ判縦、Ｂ判縦、更に他のサイズについての主走査方向原稿幅の算出、ひいては、Ａ判縦、Ｂ判縦、更に他のサイズの原稿サイズを算出することが可能になる。
【００７６】
また、上記実施形態では、各ブロック同士の境界付近に原稿サイズ切替ポイントを配置した例を示したが、必ずしも、各ブロック同士の境界付近に原稿サイズ切替ポイントを配置しなければならないものではなく、例えば、原稿サイズ切替ポイントが各ブロックの主走査方向中心付近に配置される場合であっても、各ブロックの主走査方向幅を上記実施形態よりも短くする等により、隣接するブロックからの照射の影響を受ける位置に原稿サイズ切替ポイントを配置すれば、上述した故障検出部２１１２による故障検出時における白基準閾値の低減補正処理により、読取対象とされている原稿の主走査方向幅の検出、ひいては原稿サイズの検出を可能とすることができる。
【符号の説明】
【００７７】
１          複合機
２          画像読取装置
１０        白色基準板
２２        スキャナ部
２２９      ＣＣＤ
４０        記録部
５１        表示部
２１０      画像読取回路
２１１      ＣＰＵ
２１１０    原稿幅算出部
２１１１    原稿サイズ算出部
２１１２    故障検出部
２１１３    判断部
２１１４    表示制御部
２１１５    制御部
２１４      白色判定部
２１４１    原稿幅情報記憶部
２１４３    原稿サイズ検出部
２１５      白基準閾値補正部
２１８      シェーディング補正部
２１８２    白基準メモリ
【図１】
2010252216.tif 000003
【図２】
2010252216.tif 000004
【図３】
2010252216.tif 000005
【図４】
2010252216.tif 000006
【図５】
2010252216.tif 000007
【図６】
2010252216.tif 000008
【図７】
2010252216.tif 000009
【図８】
2010252216.tif 000010
【図９】
2010252216.tif 000011
【図１０】
2010252216.tif 000012
【図１１】
2010252216.tif 000013